(57)【要約】【課題】出射光量の均一化を図る。【解決手段】バックライト装置１２は、発光強度がピークとなる光が正面方向に対して傾いた方向へ向かうような配光分布を有する光源１７と、光源１７からの光の少なくとも一部を波長変換する蛍光体を含む波長変換シート２１と、光を反射する反射シート１９と、光源１７が配置される光源配置領域ＬＡと、光源１７が非配置とされる光源非配置領域ＬＮＡと、光源１７からの光が外部に出射するまでの出光経路において光源非配置領域ＬＮＡの一部と重畳するよう配されていて、光源１７からの光と同色、又はその光を構成する各原色光と同色を呈する呈色部２４と、出光経路において呈色部２４に対して外端側に位置するよう光源非配置領域ＬＮＡの一部と重畳するよう配されていて、反射シート１９よりも光吸収率が高い高光吸収率部２５と、を備える。【選択図】図４
2019139905.tif 000002
【特許請求の範囲】
【請求項１】
発光強度がピークとなる光が正面方向に対して傾いた方向へ向かうような配光分布を有する光源と、
前記光源に対して前記正面方向について出光側に間隔を空けて配されて前記光源からの光の少なくとも一部を波長変換する蛍光体を含む波長変換シートと、
前記波長変換シートに対して前記正面方向について前記光源側に間隔を空けて配されて光を反射する反射シートと、
前記波長変換シート及び前記反射シートにおける中央側に位置していて前記光源が配置される光源配置領域と、
前記波長変換シート及び前記反射シートにおける外端側に位置していて前記光源が非配置とされる光源非配置領域と、
前記光源からの光が外部に出射するまでの出光経路において前記光源非配置領域の一部と重畳するよう配されていて、前記光源からの光と同色、又はその光を構成する各原色光と同色を呈する呈色部と、
前記出光経路において前記呈色部に対して前記外端側に位置するよう前記光源非配置領域の一部と重畳するよう配されていて、前記反射シートよりも光吸収率が高い高光吸収率部と、を備える照明装置。
【請求項２】
少なくとも前記呈色部は、前記反射シートに設けられている請求項１記載の照明装置。
【請求項３】
前記反射シートは、前記光源配置領域と前記光源非配置領域とに跨って配される反射底部と、前記光源非配置領域に配されて前記反射底部から前記波長変換シート側に向かって立ち上がる反射側部と、を少なくとも有しており、
前記呈色部は、少なくとも前記反射底部に設けられている請求項２記載の照明装置。
【請求項４】
前記呈色部は、前記反射底部に加えて前記反射側部にも設けられている請求項３記載の照明装置。
【請求項５】
前記反射底部に対して前記光源側とは反対側に配される底部と、前記底部から前記波長変換シート側に向かって立ち上がる側部と、を少なくとも有するシャーシを備えており、
前記反射側部には、部分的に開口部が設けられており、
前記高光吸収率部は、前記側部のうち前記開口部を通して前記光源の光が照射される部分からなる請求項３または請求項４記載の照明装置。
【請求項６】
前記高光吸収率部は、前記反射側部における前記光源に臨む面に重なるよう部分的に設けられる請求項３または請求項４記載の照明装置。
【請求項７】
前記反射側部は、前記反射底部から前記外端側に傾斜しつつ前記波長変換シート側に向かって立ち上がる請求項５または請求項６記載の照明装置。
【請求項８】
前記波長変換シートに対して前記正面方向について前記光源側に重なる形で配される光学部材を備えており、
前記呈色部及び前記高光吸収率部は、前記光学部材に設けられている請求項１記載の照明装置。
【請求項９】
前記呈色部及び前記高光吸収率部は、前記波長変換シートに設けられている請求項１記載の照明装置。
【請求項１０】
前記光源は、光を発する発光部と、前記発光部の発光面と対向するとともに前記発光部からの光を拡散させつつ出射させるレンズ部と、から構成される請求項１から請求項９のいずれか１項に記載の照明装置。
【請求項１１】
前記光源は、前記波長変換シートと対向状をなす頂面と、前記頂面に隣り合う側面と、がそれぞれ発光する請求項１から請求項９のいずれか１項に記載の照明装置。
【請求項１２】
前記光源は、青色光と赤色光とを含むマゼンタ色光を発し、前記波長変換シートは、前記蛍光体として、前記青色光を緑色光に波長変換する緑色蛍光体を含む請求項１から請求項１１のいずれか１項に記載の照明装置。
【請求項１３】
請求項１から請求項１２のいずれか１項に記載の照明装置と、
前記照明装置から照射される光を利用して画像を表示する表示パネルと、を備える表示装置。
【請求項１４】
請求項１３記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置に備わる面照明光源装置の一例として、特許文献１に記載のものが挙げられる。特許文献１に記載された面照明光源装置は、所定面積の底面及び側面並びに開口を有し内部に反射体が設けられ、底面に点光源が配設されたケーシングと、点光源から所定距離離れて開口を覆い、光を透過及び反射させる放射側反射手段とを備え、点光源の真上部分に所定範囲の中央反射部と中央反射部の外周囲に外方反射部とを有し、外方反射部は、一部光を透過、反射及び乱反射し所定の反射率を有する反射部材からなり、中央反射部は外方反射部の反射率より高い反射率を有する光透過性の反射部で形成されている。
【先行技術文献】
【特許文献】
【０００３】
【特許文献１】特許第５６７８２４３号公報
【発明の概要】
【発明が解決しようとする課題】
【０００４】
上記した特許文献１に記載されたような面照明光源装置では、反射部材を用いることで、点光源の直上に光量が局所的に多い明部を生じ難くする手法を採っているが、それ以外にも、例えば点光源の直上に光を拡散させるレンズを設置する手法が採られる場合もある。このようなレンズを備える面照明光源装置において、薄型化を図るため、液晶パネルとレンズとの間の距離を短くした場合には、レンズの光学設計として光をより広角に拡散させるようにすれば、レンズの直上に光量が局所的に多い明部が生じ難くなる。ところが、上記のようにレンズが光を広角に拡散すると、今度はレンズの周辺に光量が局所的に多い明部と光量が局所的に少ない暗部とが生じるおそれがあった。特に、点光源の光を波長変換する波長変換シートを用いた場合には、上記した光量の差が色ムラとして発現する、という問題がある。
【０００５】
本発明は上記のような事情に基づいて完成されたものであって、出射光量の均一化を図ることを目的とする。
【課題を解決するための手段】
【０００６】
本発明の照明装置は、発光強度がピークとなる光が正面方向に対して傾いた方向へ向かうような配光分布を有する光源と、前記光源に対して前記正面方向について出光側に間隔を空けて配されて前記光源からの光の少なくとも一部を波長変換する蛍光体を含む波長変換シートと、前記波長変換シートに対して前記正面方向について前記光源側に間隔を空けて配されて光を反射する反射シートと、前記波長変換シート及び前記反射シートにおける中央側に位置していて前記光源が配置される光源配置領域と、前記波長変換シート及び前記反射シートにおける外端側に位置していて前記光源が非配置とされる光源非配置領域と、前記光源からの光が外部に出射するまでの出光経路において前記光源非配置領域の一部と重畳するよう配されていて、前記光源からの光と同色、又はその光を構成する各原色光と同色を呈する呈色部と、前記出光経路において前記呈色部に対して前記外端側に位置するよう前記光源非配置領域の一部と重畳するよう配されていて、前記反射シートよりも光吸収率が高い高光吸収率部と、を備える。
【０００７】
このようにすれば、光源から発せられた光は、波長変換シートに対して直接的にまたは反射シートにより反射されて間接的に照射され、波長変換シートを透過する際に少なくとも一部が蛍光体により波長変換されて外部に出射される。ここで、波長変換シート及び反射シートにおける中央側に位置していて光源が配置される光源配置領域では、光源から波長変換シートに照射される光量に係る面内分布が比較的均一化されているので、輝度ムラや色ムラが生じ難くなっている。一方、波長変換シート及び反射シートにおける外端側に位置していて光源が非配置とされる光源非配置領域では、光源から波長変換シートに照射される光量に係る面内分布にムラが生じ易くなっている。具体的には、光源は、発光強度がピークとなる光が正面方向に対して傾いた方向へ向かうような配光分布を有しているため、光源非配置領域のうち、光源に近い中央側では波長変換シートに照射される光量が少なくなりがちとされるのに対し、光源から遠い外端側では波長変換シートに照射される光量が多くなりがちとされるため、輝度ムラや色ムラが生じ易くなっている。
【０００８】
これに対し、光源からの光が外部に出射するまでの出光経路には、光源からの光と同色、又はその光を構成する各原色光と同色を呈する呈色部と、反射シートよりも光吸収率が高い高光吸収率部と、が、光源非配置領域の一部ずつと重畳するよう配されており、このうちの呈色部が高光吸収率部に対して中央側に、高光吸収率部が呈色部に対して外端側に、それぞれ位置している。従って、光源非配置領域のうち、光源に近い中央側では波長変換シートに照射される光量が少なくなりがちとされるものの、呈色部によって光量の不足を補うことができる。光源非配置領域のうち、光源から遠い外端側では波長変換シートに照射される光量が多くなりがちとされるものの、高光吸収率部によって過剰な光量を減少させることができる。以上により、光源非配置領域において波長変換シートに照射される光量の面内分布が均一化されるので、出射光量についても均一化されるとともに輝度ムラや色ムラが生じ難くなる。特に、呈色部は、光の利用効率を少なからず悪化させる要因となるものの、高光吸収率部によって波長変換シートに照射される光量を減少させることで、呈色部に起因する光量の減少に伴う輝度ムラや色ムラが効果的に視認され難くなる。
【発明の効果】
【０００９】
本発明によれば、出射光量の均一化を図ることができる。
【図面の簡単な説明】
【００１０】
【図１】本発明の実施形態１に係るテレビ受信装置の概略構成を示す分解斜視図
【図２】液晶表示装置における図１のＡ−Ａ線断面図
【図３】液晶表示装置に備わるバックライト装置の平面図
【図４】図２における液晶表示装置の端部付近を拡大した断面図
【図５】バックライト装置の角部付近を拡大した平面図
【図６】本発明の実施形態２に係る液晶表示装置の端部付近を拡大した断面図
【図７】本発明の実施形態３に係る液晶表示装置の端部付近を拡大した断面図
【図８】本発明の実施形態４に係る液晶表示装置の端部付近を拡大した断面図
【図９】本発明の実施形態５に係る液晶表示装置の端部付近を拡大した断面図
【図１０】本発明の実施形態６に係る液晶表示装置の端部付近を拡大した断面図
【発明を実施するための形態】
【００１１】
＜実施形態１＞
本発明の実施形態１を図１から図５によって説明する。本実施形態では、液晶表示装置１０について例示する。なお、各図面の一部にはＸ軸、Ｙ軸及びＺ軸を示しており、各軸方向が各図面で示した方向となるように描かれている。また、図２及び図４などに示す上側を表側とし、同図下側を裏側とする。
【００１２】
本実施形態に係るテレビ受信装置１０ＴＶは、図１に示すように、全体として横長の略方形状をなす液晶表示装置１０と、当該液晶表示装置１０を挟むようにして収容する表裏両キャビネット１０Ｃ１，１０Ｃ２と、電源１０Ｐと、テレビ信号を受信するチューナー（受信部）１０Ｔと、スタンド１０Ｓと、を備えて構成される。液晶表示装置１０は、図２に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。
【００１３】
次に、液晶表示装置１０を構成する液晶パネル１１及びバックライト装置１２について順次に説明する。このうち、液晶パネル（表示パネル）１１は、図１に示すように、平面に視て横長な方形状をなしており、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタ、着色部間の混色を防ぐための遮光部、さらには配向膜等が設けられている。液晶パネル１１は、図２に示すように、画像を表示可能な表示面１１ＤＳを有しており、その表示面１１ＤＳのうち、中央側部分が、画像が表示される表示領域とされるのに対し、外周側部分が表示領域を取り囲む枠状の非表示領域とされる。なお、両ガラス基板の外側にはそれぞれ偏光板が配されている。
【００１４】
続いて、バックライト装置１２について詳しく説明する。バックライト装置１２は、図２に示すように、表側（出光側、液晶パネル１１側）に開口する光出射部１４Ｂを有して略箱型をなすシャーシ１４と、シャーシ１４の光出射部１４Ｂを覆うようにして配される光学部材１５と、シャーシ１４の外縁部に沿って配され光学部材１５の外縁部をシャーシ１４との間で挟んで保持するフレーム１６と、を備える。さらに、シャーシ１４内には、光源１７と、光源１７が実装された光源基板（ＬＥＤ基板）１８と、シャーシ１４内の光を反射させる反射シート（反射部材）１９と、が備えられる。このように、本実施形態に係るバックライト装置１２は、シャーシ１４内において液晶パネル１１及び光学部材１５の直下位置に光源１７が配される、いわゆる直下型とされる。以下では、バックライト装置１２の各構成部品について詳しく説明する。
【００１５】
シャーシ１４は、例えばアルミニウム板や電気亜鉛めっき綱板（ＳＥＣＣ）などの金属板からなり、図２及び図３に示すように、液晶パネル１１と同様に横長な方形状（矩形状、長方形状）をなす底板部（底部）１４Ａと、底板部１４Ａの各辺（一対の長辺及び一対の短辺）の外端部からそれぞれ表側（出光側）に向けて立ち上がる側板部（側部）１４Ｃと、各側板部１４Ｃの立ち上がり端から外向きに張り出す受け板部（光学部材支持部）１４Ｄと、受け板部１４Ｄの外端部から表側に向けて立ち上がる立板部１４Ｅと、からなり、全体としては表側に向けて開口した浅い略箱型をなしている。シャーシ１４は、その長辺方向がＸ軸方向と一致し、短辺方向がＹ軸方向と一致している。底板部１４Ａは、光源基板１８に対して裏側、つまり光源１７に対して出光側とは反対側に配されている。各側板部１４Ｃは、底板部１４Ａに対して傾斜状をなしている。各受け板部１４Ｄは、表側から載置される光学部材１５や反射シート１９の外端部を支持可能とされる。各受け板部１４Ｄは、底板部１４Ａの外端部に対して各側板部１４Ｃを介して連ねられている。各立板部１４Ｅは、各受け板部１４Ｄに載置された光学部材１５及び反射シート１９の端面と対向状をなすとともに、後述するフレーム１６が固定されている。
【００１６】
光学部材１５は、液晶パネル１１及びシャーシ１４と同様に平面に視て横長の方形状をなしており、図２に示すように、その外端部が受け板部１４Ｄにより支持されることで、シャーシ１４の光出射部１４Ｂを覆うとともに、液晶パネル１１と光源１７との間に介在して配される。光学部材１５は、光源１７に対して表側、つまり出光側にＺ軸方向（正面方向）について所定の間隔を空けて対向状をなしている。光学部材１５は、相対的に裏側（光源１７側、出光側とは反対側）に配される第１光学部材１５Ａと、第１光学部材１５Ａに対してフレーム１６を挟んで相対的に表側に配される第２光学部材１５Ｂと、から構成される。第１光学部材１５Ａは、その外端部がシャーシ１４の受け板部１４Ｄに対して表側に重なる形で載置される。第１光学部材１５Ａには、拡散板２０と、波長変換シート２１と、が含まれる。このうち、拡散板２０は、所定の厚みを持つほぼ透明な樹脂製の基材内に拡散粒子を多数分散して設けた構成とされ、透過する光を拡散させる機能を有する。なお、波長変換シート２１に関しては、後に改めて詳しく説明する。
【００１７】
第２光学部材１５Ｂは、その外端部がフレーム１６に対して表側に重なる形で載置されており、第１光学部材１５Ａとの間にフレーム１６の厚み分の間隔が空けられている。第２光学部材１５Ｂは、プリズムシート（レンズシート）２２と、プリズムシート２２の表側に重ねられる反射型偏光シート２３と、から構成される。プリズムシート２２は、シート状の基材と、基材の表側の表面に設けられるプリズム部とからなる。プリズム部は、長辺方向（Ｘ軸方向）に沿って延びつつ、短辺方向（Ｙ軸方向）に並ぶ複数の単位プリズムから構成されている。プリズムシート２２は、このようなプリズム部を備えることにより、第１光学部材１５Ａ側からの光に、単位プリズムの並び方向（Ｙ軸方向）について選択的に集光作用（異方性集光作用）を付与できる。反射型偏光シート２３は、反射型偏光フィルムと、反射型偏光フィルムを表裏から挟み込む一対の拡散フィルムとからなる。反射型偏光フィルムは、例えば、屈折率の互いに異なる層を交互に積層した多層構造からなり、プリズムシート２２からの光のうち、ｐ波を透過させ、ｓ波を裏側へ反射させる。反射型偏光フィルムによって反射されたｓ波は、後述する反射シート１９等によって、再度表側に反射され、その際に、ｓ波とｐ波に分離する。このように、反射型偏光シート２３は、反射型偏光フィルムを備えることで、本来ならば、液晶パネル１１の偏光板によって吸収されるｓ波を、裏側（反射シート１９側）へ反射させることで有効活用することができ、光の利用効率（輝度）を高めることができる。一対の拡散フィルムは、ポリカーボネート樹脂等の透明な合成樹脂材料からなり、反射型偏光フィルム側とは反対側の表面に、光に拡散作用を付与するためのエンボス加工が施されている。
【００１８】
フレーム１６は、合成樹脂からなり、光反射性を有するように白色塗装されており、図２に示すように、全体として液晶パネル１１及び光学部材１５の外周縁部に沿う枠状をなしている。フレーム１６は、各受け板部１４Ｄと対向状をなしていて各受け板部１４Ｄとの間で第１光学部材１５Ａの外端部を挟持する内枠部１６Ａと、内枠部１６Ａの外端から裏側に向けて突出して立板部１４Ｅの外面と対向する外枠部１６Ｂと、から構成される。内枠部１６Ａは、第１光学部材１５Ａを構成する波長変換シート２１の外端部を受け板部１４Ｄ側とは反対側から押さえる。内枠部１６Ａは、液晶パネル１１及び第２光学部材１５Ｂの外端部をベゼル１３との間で挟持する。
【００１９】
次に、光源１７及び光源１７が実装される光源基板１８について説明する。光源１７は、図２に示すように、光を発するＬＥＤ（発光部）１７Ａと、ＬＥＤ１７Ａの発光面１７Ａ１と対向していて光を拡散出射させるレンズ部１７Ｂと、から構成される。ＬＥＤ１７Ａは、光源基板１８上に表面実装されるとともにその発光面１７Ａ１が光源基板１８側とは反対側を向いた、いわゆる頂面発光型（トップビュー型）とされており、その光軸がＺ軸方向、つまり液晶パネル１１の表示面１１ＤＳ（光学部材１５の板面）に対する法線方向（正面方向）と一致している。ここで言う「光軸」とは、ＬＥＤ１７Ａにおける発光光のうち、発光強度が最も高い（ピークとなる）光の進行方向と一致する軸のことである。詳しくは、ＬＥＤ１７Ａは、発光源として青色光を発する青色ＬＥＤ素子（青色発光素子）を封止材によってケース内に封止してなり、封止材には、青色ＬＥＤ素子からの青色光により励起されて赤色光を発する赤色蛍光体（図示せず）が含有されている。従って、ＬＥＤ１７Ａは、青色ＬＥＤ素子から発せられる青色光（青色成分の光）と、青色ＬＥＤ素子の青色光により励起されて赤色蛍光体から発せられる赤色光（赤色成分の光）との混色により、全体としてマゼンダ色光を発することが可能とされている。そして、ＬＥＤ１７Ａから発せられたマゼンダ色光は、その一部が詳しくは後述する波長変換シート２１によって緑色光に波長変換されるようになっている。従って、バックライト装置１２の出射光は、波長変換シート２１により波長変換された緑色光と、ＬＥＤ１７Ａのマゼンダ色光と、の加法混色により概ね白色を呈するものとされる。ＬＥＤ１７Ａに備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。この青色ＬＥＤ素子は、図示しないリードフレームによってケース外に配された光源基板１８における配線パターンに接続される。また、赤色蛍光体は、青色ＬＥＤ素子の青色光を励起光として、赤色に属する波長領域（約６００ｎｍ〜約７８０ｎｍ）の光、つまり赤色光を蛍光光として発する。
【００２０】
光源１７を構成するレンズ部１７Ｂは、図２に示すように、ＬＥＤ１７Ａの発光面１７Ａ１と対向するよう後述する光源基板１８に取り付けられている。レンズ部１７Ｂは、ＬＥＤ１７Ａよりも径寸法が大きな略円板状をなしており、ＬＥＤ１７Ａに対して同心状に配されている。レンズ部１７Ｂは、ＬＥＤ１７Ａの発光面１７Ａ１と対向する面が光入射面１７Ｂ１とされるのに対し、光学部材１５と対向する面が光出射面１７Ｂ２とされる。光出射面１７Ｂ２は、扁平な略半球状に形成されるとともにその中央が凹状に形成されることで、光を拡散させつつ出射させることが可能とされる。この光出射面１７Ｂ２によりレンズ部１７Ｂは、発光強度がピークとなる光が、Ｚ軸方向に対して傾いた方向へ向かうような配光分布を有する。なお、図２及び図４には、光出射面１７Ｂ２から出射する光の進行方向及び発光強度を矢線により示しており、矢線の長さが長いほど発光強度が強いことを表している。また、レンズ部１７Ｂには、裏側へ向けて突出する取付脚部１７Ｂ３が複数形成されており、これら取付脚部１７Ｂ３が光源基板１８に対して取り付けられている。
【００２１】
光源基板１８は、図２及び図３に示すように、平面に視て方形状をなしており、シャーシ１４内において底板部１４Ａの表側に重なる形で収容されている。光源基板１８の表側の板面（光学部材１５側を向いた板面）には、上記した構成の光源１７が表面実装されており、ここが実装面１８Ａとされる。光源１７は、光源基板１８の実装面１８Ａの面内においてＸ軸方向及びＹ軸方向に沿って複数ずつ行列状（マトリクス状、碁盤目状）に並列して配されるとともに、実装面１８Ａの面内に配索形成された配線パターンによって相互が電気的に接続されている。光源基板１８における各光源１７の配列ピッチは、ほぼ一定とされ、詳しくはＸ軸方向（行方向）及びＹ軸方向（列方向）についてそれぞれほぼ等間隔に配列されている。また、光源基板１８は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、光源基板１８に用いる材料としては、セラミックなどの絶縁材料を用いることも可能である。また、光源基板１８には、図示しない配線部材が接続されるコネクタ部が設けられており、配線部材を介して図示しないＬＥＤ駆動基板（光源駆動基板）から駆動電力が供給されるようになっている。
【００２２】
反射シート１９は、合成樹脂製とされ、表面が光の反射性に優れた白色を呈している。反射シート１９は、その表面にて特定の波長の光を吸収することがなく、全ての可視光線を乱反射するものとされており、全域にわたって光の反射率がほぼ一定とされている。反射シート１９は、図２及び図３に示すように、シャーシ１４の内面のほぼ全域にわたって敷設される大きさを有しているので、シャーシ１４内に配された光源基板１８をほぼ全域にわたって表側（出光側、光学部材１５側）から覆うことが可能とされる。反射シート１９は、光学部材１５（波長変換シート２１を含む）に対してＺ軸方向について裏側（光源１７側）に間隔を空けて配されている。この反射シート１９によりシャーシ１４内の光を表側に向けて反射させることができる。反射シート１９は、光源基板１８（底板部１４Ａ）に沿って延在するとともに光源基板１８を一括してそのほぼ全域を覆う大きさの反射底部１９Ａと、反射底部１９Ａの各外端部から表側（波長変換シート２１側）に向けて立ち上がるとともに反射底部１９Ａに対して傾斜状をなす４つの反射側部（反射傾斜側部）１９Ｂと、各反射側部１９Ｂの外端から外向きに延出するとともにシャーシ１４の受け板部１４Ｄに載せられる延出部１９Ｃと、から構成されている。この反射シート１９の反射底部１９Ａが光源基板１８における表側の面、つまり光源１７の実装面１８Ａに対して表側に重なるよう配される。また、反射シート１９の反射底部１９Ａには、各光源１７と平面に視て重畳する位置に各光源１７を個別に挿通する光源挿通孔１９Ｄが開口して設けられている。この光源挿通孔１９Ｄは、各光源１７の配置に対応してＸ軸方向及びＹ軸方向について行列状（マトリクス状）に複数が並んで配置されている。なお、フレーム１６の内枠部１６Ａは、延出部１９Ｃより内側（光源配置領域ＬＡ側）に突き出した形となっている。延出部１９Ｃは、平面に視て内枠部１６Ａにより全域が覆われた状態となっている。
【００２３】
上記した光学部材１５及び反射シート１９は、図３に示すように、その面内における中央側部分が、複数の光源１７が配置される光源配置領域ＬＡとされるのに対し、外周端側部分（外端側部分）が、複数の光源１７が非配置とされる光源非配置領域ＬＮＡとされる。なお、図３及び図５では、枠状の一点鎖線が光源配置領域ＬＡの外形を表しており、当該一点鎖線よりも外側の領域が光源非配置領域ＬＮＡとなっている。反射シート１９のうち、反射底部１９Ａは、光源配置領域ＬＡと光源非配置領域ＬＮＡとに跨って配されるのに対し、反射側部１９Ｂは、その全域が光源非配置領域ＬＮＡに配される。より詳しくは、反射底部１９Ａのうち、中央側部分が光源配置領域ＬＡとされるのに対し、光源配置領域ＬＡを取り囲む枠状の外周端側部分が光源非配置領域ＬＮＡにおける中央側部分とされる。反射側部１９Ｂは、光源非配置領域ＬＮＡにおける中央側部分よりも外側に配される外周端側部分とされる。
【００２４】
次に、波長変換シート２１に関して詳しく説明する。波長変換シート２１は、図２に示すように、液晶パネル１１等と同様に方形状をなしており、第１光学部材１５Ａの拡散板２０と略同等の大きさである。波長変換シート２１は、拡散板２０より厚みの小さい（薄い）シート状とされる。波長変換シート２１は、光源１７からの光を波長変換するための蛍光体（波長変換物質）を含有する蛍光体層（波長変換層）と、蛍光体層を表裏から挟み込んでこれを保護する一対の保護層と、から構成されている。蛍光体層には、光源１７からのマゼンダ色光に含まれる青色光を励起光として、緑色光（約５００ｎｍ〜約５７０ｎｍの波長領域）を発する緑色蛍光体が分散配合されている。これにより、バックライト装置１２の出射光は、光源１７から発せられる青色光及び赤色光と、波長変換シート２１に含まれる緑色蛍光体により波長変換される緑色光と、を含むことになり、全体として白色光となる。このような緑色蛍光体としては、比較的シャープな発光スペクトルを有するものが好ましく、例えば、「ＳｒＧａ２Ｓ４：Ｅｕ２＋」等の硫化物蛍光体が用いられる。
【００２５】
光学部材１５（主に波長変換シート２１）の光学作用について説明する。まず、光源１７を構成するＬＥＤ１７Ａの発光面１７Ａ１からは、図２に示すように、青色光と赤色光からなるマゼンタ色光が一次光として出射された後、レンズ部１７Ｂの光入射面１７Ｂ１に入射し、光出射面１７Ｂ２から出射する際に屈折作用を付与されて広角に拡散する形で出射する。光源１７からの一次光は、第１光学部材１５Ａを構成する拡散板２０に含有される拡散粒子により拡散作用が付与された後、その一部は、拡散板２０上の波長変換シート２１に入射する。波長変換シート２１に入射した一次光のうち、青色光の一部は、波長変換シート２１中の緑色蛍光体により波長変換されて緑色光（二次光）となって放出される。波長変換シート２１からは、緑色光と共に、波長変換されずに透過した青色光や赤色光が出射される。このように、波長変換シート２１からは、光源１７からの一次光（青色光、赤色光）と、波長変換後に得られた二次光（緑色光）と、が出射されることで、白色光が形成される。波長変換シート２１の出射光は、第２光学部材１５Ｂに入射し、第２光学部材１５Ｂを構成するプリズムシート２２及び反射型偏光シート２３によりそれぞれの光学作用が付与されて液晶パネル１１へと出射する。
【００２６】
ところで、上記した構成のバックライト装置１２における光源配置領域ＬＡでは、光源１７から波長変換シート２１に照射される光量に係る面内分布が比較的均一化されているので、輝度ムラや色ムラが生じ難くなっている。光源非配置領域ＬＮＡでは、光源１７から波長変換シート２１に照射される光量に係る面内分布にムラが生じ易い傾向にある。具体的には、光源１７は、発光強度がピークとなる光が正面方向に対して傾いた方向へ向かうような配光分布を有しているため、光源非配置領域ＬＮＡのうち、光源１７に近い中央側（特に反射シート１９における反射底部１９Ａと反射側部１９Ｂとの境界付近）では波長変換シート２１に照射される光量が少なくなりがちとされるのに対し、光源１７から遠い外端側では波長変換シート２１に照射される光量が多くなりがちとされるため、輝度ムラや色ムラが生じ易くなっている。
【００２７】
そこで、本実施形態に係るバックライト装置１２では、光源１７からの光が外部に出射するまでの出光経路には、図４に示すように、光源１７からの光と同色、又はその光を構成する各原色光と同色を呈する呈色部２４と、反射シート１９よりも光吸収率が高い高光吸収率部２５と、が、光源非配置領域ＬＮＡの一部ずつと重畳するよう配されている。このうちの呈色部２４は、高光吸収率部２５に対して中央側に配されるのに対し、高光吸収率部２５は、呈色部２４に対して外端側に配されている。このようにすれば、光源非配置領域ＬＮＡのうち、光源１７に近い中央側では波長変換シート２１に照射される光量が少なくなりがちとされるものの、呈色部２４によって光量の不足を補うことができる。光源非配置領域ＬＮＡのうち、光源１７から遠い外端側では波長変換シート２１に照射される光量が多くなりがちとされるものの、高光吸収率部２５によって過剰な光量を減少させることができる。以上により、光源非配置領域ＬＮＡにおいて波長変換シート２１に照射される光量の面内分布が均一化されるので、出射光量についても均一化されるとともに輝度ムラや色ムラが生じ難くなる。特に、呈色部２４は、光の利用効率を少なからず悪化させる要因となるものの、高光吸収率部２５によって波長変換シート２１に照射される光量を減少させることで、呈色部２４に起因する光量の減少に伴う輝度ムラや色ムラが効果的に視認され難くなる。
【００２８】
呈色部２４について詳しく説明する。まず、呈色部２４は、図４及び図５に示すように、反射シート１９に設けられている。反射シート１９は、波長変換シート２１に対してＺ軸方向について光源１７側に配されていることから、波長変換シート２１に比べると、Ｘ軸方向及びＹ軸方向（正面方向と直交する方向）について光源１７に対する位置関係が定まり易くなっている。従って、反射シート１９に呈色部２４を設けることで、光源１７に対する呈色部２４の位置関係が適切なものになり易く、輝度ムラや色ムラを抑制する上で好適となる。呈色部２４は、反射シート１９との比較において光源１７の光の色味に近い色味を呈する。すなわち、白色を呈する反射シート１９に対し、呈色部２４は、光源１７の光の色味、つまりマゼンダ色味を呈するものとされる。呈色部２４は、反射シート１９の表面にマゼンダ色を呈する塗料（顔料または染料を含む）を公知の塗工技術（例えば、印刷技術）などを用いて塗布して形成される塗膜からなる。呈色部２４は、光源１７から発せられた光（マゼンタ色光）の色と補色の関係にある色の光（緑色光）の吸収率が、光源１７から発せられた光（マゼンタ色光（青色光、赤色光））の吸収率よりも高くなっている。また、呈色部２４は、光源１７から発せられた光（マゼンタ色光（青色光、赤色光））の反射率が、光源１７から発せられた光と補色の関係にある色の光（緑色光）の反射率よりも高くなっている。つまり、呈色部２４は、緑色光を吸収して、マゼンタ色光（青色光、赤色光）を反射する機能を備えている。これにより、呈色部２４で反射された光（例えば、白色の戻り光）は、呈色部２４が設けられていない白色の部分（反射シート１９）で反射された場合と比べて、マゼンタ色を帯びることになる。
【００２９】
呈色部２４は、図５に示すように、平面視で略円形のドット状をなしており、反射シート１９のうち反射底部１９Ａと反射側部１９Ｂとにわたって設けられている。反射底部１９Ａに設けられる呈色部２４は、反射底部１９Ａのうちの光源非配置領域ＬＮＡに配された枠状の外周端側部分においてＸ軸方向及びＹ軸方向に沿って複数ずつ間隔を空けて並んで配されている。このようにすれば、反射底部１９Ａのうち光源非配置領域ＬＮＡに配される部分による反射光量が少なくてもそこに配される呈色部２４によって不足しがちな光量を好適に補うことができる。一方、反射側部１９Ｂに設けられる呈色部２４は、４つの反射側部１９Ｂのうちの反射底部１９Ａとの境界側（光源１７側）の部分においてＸ軸方向またはＹ軸方向に沿って複数間隔を空けて並んで配されている。このような構成によれば、反射底部１９Ａと反射側部１９Ｂとの境界を挟んで呈色部２４が反射底部１９Ａ及び反射側部１９Ｂに配されることになる。反射底部１９Ａと反射側部１９Ｂとの境界付近では光源１７の光量が特に不足しがちであるから、この境界を挟む形で配される呈色部２４によって光量不足をより好適に補うことができる。反射底部１９Ａ及び反射側部１９Ｂに設けられた複数ずつの呈色部２４は、径寸法（大きさ）や濃度（色の濃さ）がほぼ同一とされているが、必ずしもその限りではない。すなわち、光源１７の配光分布などの諸条件に応じて呈色部２４の径寸法や濃度を配置に応じて適宜に変化させる設計を採ることも可能である。なお、隣り合った呈色部２４の間からは、白色を呈する反射シート１９の表面が露出している。
【００３０】
続いて、高光吸収率部２５について詳しく説明する。高光吸収率部２５は、図４に示すように、シャーシ１４を構成する側板部１４Ｃの一部からなる。詳しくは、反射シート１９を構成する反射側部１９Ｂには、部分的に開口部２６が設けられており、高光吸収率部２５は、側板部１４Ｃのうち開口部２６を通して光源１７の光が照射される部分からなる。ここで、シャーシ１４は、既述した通り金属製とされており、その表面の光反射率が反射シート１９の光反射率よりも低くされるとともに光吸収率が反射シート１９の光吸収率よりも高くされている。従って、光源１７から発せられた光が、反射シート１９の反射側部１９Ｂに部分的に設けられた開口部２６を通してシャーシ１４の側板部１４Ｃに照射されると、その照射された部分である高光吸収率部２５は、反射シート１９に比べて多くの光を吸収し、反射シート１９に比べて少ない光を反射することになる。これにより、光源非配置領域ＬＮＡの外端側において過剰になりがちな光量の減少を図ることができる。
【００３１】
以上説明したように本実施形態のバックライト装置（照明装置）１２は、発光強度がピークとなる光が正面方向に対して傾いた方向へ向かうような配光分布を有する光源１７と、光源１７に対して正面方向について出光側に間隔を空けて配されて光源１７からの光の少なくとも一部を波長変換する蛍光体を含む波長変換シート２１と、波長変換シート２１に対して正面方向について光源１７側に間隔を空けて配されて光を反射する反射シート１９と、波長変換シート２１及び反射シート１９における中央側に位置していて光源１７が配置される光源配置領域ＬＡと、波長変換シート２１及び反射シート１９における外端側に位置していて光源１７が非配置とされる光源非配置領域ＬＮＡと、光源１７からの光が外部に出射するまでの出光経路において光源非配置領域ＬＮＡの一部と重畳するよう配されていて、光源１７からの光と同色、又はその光を構成する各原色光と同色を呈する呈色部２４と、出光経路において呈色部２４に対して外端側に位置するよう光源非配置領域ＬＮＡの一部と重畳するよう配されていて、反射シート１９よりも光吸収率が高い高光吸収率部２５と、を備える。
【００３２】
このようにすれば、光源１７から発せられた光は、波長変換シート２１に対して直接的にまたは反射シート１９により反射されて間接的に照射され、波長変換シート２１を透過する際に少なくとも一部が蛍光体により波長変換されて外部に出射される。ここで、波長変換シート２１及び反射シート１９における中央側に位置していて光源１７が配置される光源配置領域ＬＡでは、光源１７から波長変換シート２１に照射される光量に係る面内分布が比較的均一化されているので、輝度ムラや色ムラが生じ難くなっている。一方、波長変換シート２１及び反射シート１９における外端側に位置していて光源１７が非配置とされる光源非配置領域ＬＮＡでは、光源１７から波長変換シート２１に照射される光量に係る面内分布にムラが生じ易くなっている。具体的には、光源１７は、発光強度がピークとなる光が正面方向に対して傾いた方向へ向かうような配光分布を有しているため、光源非配置領域ＬＮＡのうち、光源１７に近い中央側では波長変換シート２１に照射される光量が少なくなりがちとされるのに対し、光源１７から遠い外端側では波長変換シート２１に照射される光量が多くなりがちとされるため、輝度ムラや色ムラが生じ易くなっている。
【００３３】
これに対し、光源１７からの光が外部に出射するまでの出光経路には、光源１７からの光と同色、又はその光を構成する各原色光と同色を呈する呈色部２４と、反射シート１９よりも光吸収率が高い高光吸収率部２５と、が、光源非配置領域ＬＮＡの一部ずつと重畳するよう配されており、このうちの呈色部２４が高光吸収率部２５に対して中央側に、高光吸収率部２５が呈色部２４に対して外端側に、それぞれ位置している。従って、光源非配置領域ＬＮＡのうち、光源１７に近い中央側では波長変換シート２１に照射される光量が少なくなりがちとされるものの、呈色部２４によって光量の不足を補うことができる。光源非配置領域ＬＮＡのうち、光源１７から遠い外端側では波長変換シート２１に照射される光量が多くなりがちとされるものの、高光吸収率部２５によって過剰な光量を減少させることができる。以上により、光源非配置領域ＬＮＡにおいて波長変換シート２１に照射される光量の面内分布が均一化されるので、出射光量についても均一化されるとともに輝度ムラや色ムラが生じ難くなる。特に、呈色部２４は、光の利用効率を少なからず悪化させる要因となるものの、高光吸収率部２５によって波長変換シート２１に照射される光量を減少させることで、呈色部２４に起因する光量の減少に伴う輝度ムラや色ムラが効果的に視認され難くなる。
【００３４】
また、少なくとも呈色部２４は、反射シート１９に設けられている。反射シート１９は、波長変換シート２１に対して正面方向について光源１７側に配されていることから、波長変換シート２１に比べると、正面方向と直交する方向について光源１７に対する位置関係が定まり易くなっている。従って、反射シート１９に少なくとも呈色部２４を設けることで、光源１７に対する呈色部２４の位置関係が適切なものになり易く、輝度ムラや色ムラを抑制する上で好適となる。
【００３５】
また、反射シート１９は、光源配置領域ＬＡと光源非配置領域ＬＮＡとに跨って配される反射底部１９Ａと、光源非配置領域ＬＮＡに配されて反射底部１９Ａから波長変換シート２１側に向かって立ち上がる反射側部１９Ｂと、を少なくとも有しており、呈色部２４は、少なくとも反射底部１９Ａに設けられている。このようにすれば、反射底部１９Ａのうち光源非配置領域ＬＮＡに配される部分による反射光量が少なくてもそこに配される呈色部２４によって不足しがちな光量を好適に補うことができる。
【００３６】
また、呈色部２４は、反射底部１９Ａに加えて反射側部１９Ｂにも設けられている。このようにすれば、反射底部１９Ａと反射側部１９Ｂとの境界を挟んで呈色部２４が反射底部１９Ａ及び反射側部１９Ｂに配されることになる。反射底部１９Ａと反射側部１９Ｂとの境界付近では光源１７の光量が特に不足しがちであるから、この境界を挟む形で配される呈色部２４によって光量不足をより好適に補うことができる。
【００３７】
また、反射底部１９Ａに対して光源１７側とは反対側に配される底板部（底部）１４Ａと、底板部１４Ａから波長変換シート２１側に向かって立ち上がる側板部（側部）１４Ｃと、を少なくとも有するシャーシ１４を備えており、反射側部１９Ｂには、部分的に開口部２６が設けられており、高光吸収率部２５は、側板部１４Ｃのうち開口部２６を通して光源１７の光が照射される部分からなる。このようにすれば、シャーシ１４は、底板部１４Ａ及び側板部１４Ｃにより光源１７及び反射シート１９などを収容することができる。反射シート１９の反射側部１９Ｂに部分的に設けられた開口部２６を通してシャーシ１４の側板部１４Ｃには、光源１７からの光が照射されるようになっており、その光が照射される部分が高光吸収率部２５とされている。これにより、光源１７から反射シート１９の反射側部１９Ｂへ向かう光の一部は、開口部２６を通ってシャーシ１４の側板部１４Ｃにおける高光吸収率部２５により吸収されるので、光源非配置領域ＬＮＡの外端側において過剰になりがちな光量の減少を図ることができる。
【００３８】
また、反射側部１９Ｂは、反射底部１９Ａから外端側に傾斜しつつ波長変換シート２１側に向かって立ち上がる。このようにすれば、光源非配置領域ＬＮＡに配される反射側部１９Ｂは、光源１７から正面方向に対して傾いた方向へ向けて進行する発光強度がピークとなる光を反射し易く、その反射光を波長変換シート２１へ向かわせることが可能とされる。仮に反射側部１９Ｂが反射底部１９Ａから垂直に立ち上がる場合に比べると、反射側部１９Ｂによる反射光は、波長変換シート２１において広範囲に照射されることになる。従って、少なくとも高光吸収率部２５による光学作用を付与された光が拡散しつつ波長変換シート２１に照射されることになるので、輝度ムラや色ムラを抑制する上でより好適となる。
【００３９】
また、光源１７は、光を発するＬＥＤ（発光部）１７Ａと、ＬＥＤ１７Ａの発光面１７Ａ１と対向するとともにＬＥＤ１７Ａからの光を拡散させつつ出射させるレンズ部１７Ｂと、から構成される。このようにすれば、ＬＥＤ１７Ａから発せられた光をレンズ部１７Ｂによって拡散させつつ出射させることができるから、発光強度がピークとなる光が正面方向に対して傾いた方向へ向かうような配光分布を容易に設計することができる。
【００４０】
また、光源１７は、青色光と赤色光とを含むマゼンタ色光を発し、波長変換シート２１は、蛍光体として、青色光を緑色光に波長変換する緑色蛍光体を含む。このようにすれば、光源１７から発せられたマゼンダ色光には、青色光と赤色光とが含まれているから、波長変換シート２１を透過する際には、マゼンダ色光に含まれる青色光が緑色光に波長変換される。これにより、当該バックライト装置１２の出射光には、青色光、緑色光及び赤色光が含まれ、全体として白色光となる。
【００４１】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような液晶表示装置１０によれば、バックライト装置１２の出射光量が均一化されているから、輝度ムラや色ムラなどが抑制された優れた表示品位が得られる。
【００４２】
また、本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００４３】
＜実施形態２＞
本発明の実施形態２を図６によって説明する。この実施形態２では、高光吸収率部１２５の構成を変更したものを示す。なお、上記した実施形態１と同様の構造、作用及び効果について重複する説明は省略する。
【００４４】
本実施形態に係る高光吸収率部１２５は、図６に示すように、反射シート１１９を構成する反射側部１１９Ｂにおける表側の面（光源１１７に臨む面）に重なるよう部分的に設けられている。高光吸収率部１２５は、光の吸収性に優れた黒色を呈するものとされており、具体的には反射側部１１９Ｂの表面に黒色のインクなどの塗料（光吸収材）を印刷するなどして形成されている。高光吸収率部１２５は、呈色部１２４と同様にドット状をなしており、反射側部１１９Ｂにおいて部分的に設けられている。上記した実施形態１のように、反射側部１９Ｂに開口部２６を部分的に設けた場合（図４を参照）に比べると、反射シート１１９の外部への光漏れが生じるのを避けることができる。
【００４５】
以上説明したように本実施形態によれば、高光吸収率部１２５は、反射側部１１９Ｂにおける光源１１７に臨む面に重なるよう部分的に設けられる。このようにすれば、仮に反射側部に開口部を部分的に設けた場合に比べると、反射シート１１９の外部への光漏れが生じるのを避けることができる。
【００４６】
＜実施形態３＞
本発明の実施形態３を図７によって説明する。この実施形態３では、上記した実施形態２から呈色部２２４及び高光吸収率部２２５の設置対象を変更したものを示す。なお、上記した実施形態２と同様の構造、作用及び効果について重複する説明は省略する。
【００４７】
本実施形態に係る呈色部２２４及び高光吸収率部２２５は、図７に示すように、光学部材２１５に含まれて波長変換シート２２１に対してＺ軸方向について裏側（光源２１７側）に配される拡散板２２０に設けられている。呈色部２２４及び高光吸収率部２２５は、拡散板２２０における裏側の板面、つまり光源２１７との対向面に設けられている。呈色部２２４及び高光吸収率部２２５は、拡散板２２０における裏側の板面にマゼンダ色の塗料や黒色の塗料を印刷するなどの手法によりそれぞれ形成されている。
【００４８】
以上説明したように本実施形態によれば、波長変換シート２２１に対して正面方向について光源２１７側に重なる形で配される拡散板（光学部材）２２０を備えており、呈色部２２４及び高光吸収率部２２５は、拡散板２２０に設けられている。このようにすれば、拡散板２２０に照射された光は、拡散板２２０に設けられた呈色部２２４及び高光吸収率部２２５による光学作用を付与された後に波長変換シート２２１に照射される。
【００４９】
＜実施形態４＞
本発明の実施形態４を図８によって説明する。この実施形態４では、上記した実施形態２から呈色部３２４及び高光吸収率部３２５の設置対象を変更したものを示す。なお、上記した実施形態２と同様の構造、作用及び効果について重複する説明は省略する。
【００５０】
本実施形態に係る呈色部３２４及び高光吸収率部３２５は、図８に示すように、光学部材３１５に含まれる波長変換シート３２１に設けられている。呈色部３２４及び高光吸収率部３２５は、波長変換シート３２１における裏側の板面、つまり拡散板３２０との対向面に設けられている。呈色部３２４及び高光吸収率部３２５は、波長変換シート３２１における裏側の板面にマゼンダ色の塗料や黒色の塗料を印刷するなどの手法によりそれぞれ形成されている。
【００５１】
以上説明したように本実施形態によれば、呈色部３２４及び高光吸収率部３２５は、波長変換シート３２１に設けられている。このようにすれば、波長変換シート３２１に照射された光は、波長変換シート３２１に設けられた呈色部３２４及び高光吸収率部３２５により光学作用を付与される。
【００５２】
＜実施形態５＞
本発明の実施形態５を図９によって説明する。この実施形態５では、上記した実施形態１からシャーシ４１４及び反射シート４１９の構成などを変更したものを示す。なお、上記した実施形態１と同様の構造、作用及び効果について重複する説明は省略する。
【００５３】
本実施形態に係るシャーシ４１４は、図９に示すように、側板部４１４Ｃが底板部４１４Ａの外端部から表側にほぼ垂直に立ち上がる構成とされる。これに伴い、反射シート４１９は、反射側部４１９Ｂが反射底部４１９Ａの外端部から表側にほぼ垂直に立ち上がって側板部４１４Ｃに並行する構成とされる。従って、上記した実施形態１に比べると、底板部４１４Ａ及び反射底部４１９Ａは、光源非配置領域ＬＮＡでの面積（形成範囲）が増加しているのに対し、側板部４１４Ｃ及び反射側部４１９Ｂは、光源非配置領域ＬＮＡでの面積が減少している。そして、呈色部４２４は、反射シート４１９のうちの反射底部４１９Ａに専ら設けられており、その配置範囲が反射底部４１９Ａの面積増加に伴って拡張されている。一方、反射側部４１９Ｂには、専ら開口部４２６が設けられており、側板部４１４Ｃのうちの開口部４２６と重なる部分が高光吸収率部４２５となっている。反射側部４１９Ｂにおける開口部４２６の配置範囲と、側板部４１４Ｃにおける高光吸収率部４２５の配置範囲と、は、それぞれ反射側部４１９Ｂ及び側板部４１４Ｃの面積減少に伴って縮小されている。
【００５４】
＜実施形態６＞
本発明の実施形態６を図１０によって説明する。この実施形態６では、上記した実施形態１から光源５１７の構成を変更したものを示す。なお、上記した実施形態１と同様の構造、作用及び効果について重複する説明は省略する。
【００５５】
本実施形態に係る光源５１７は、図１０に示すように、ＬＥＤ５１７Ａのみからなり、上記した実施形態１に記載したレンズ部１７Ｂ（図４を参照）が省略されている。ＬＥＤ５１７Ａは、略直方体状をなしており、その外周面のうちの表側（波長変換シート５２１側）を向いた頂面２７と、頂面２７に隣り合う４つの側面２８と、がそれぞれ光を発するものとされる。このＬＥＤ５１７Ａは、例えば頂面２７からの発光量よりも各側面２８からの発光量を多くする、などの調整を行うことで、発光強度がピークとなる光が正面方向に対して傾いた方向へ向かうような配光分布を有している。なお、図１０では、頂面２７及び各側面２８から出射する光の進行方向及び発光強度を矢線により示しており、矢線の長さが長いほど発光強度が強いことを表している。このような構成によれば、上記した実施形態１に記載したレンズ部１７Ｂを省略することができるので、光源５１７に係る製造コストの低廉化を図ることができる。
【００５６】
以上説明したように本実施形態によれば、光源５１７は、波長変換シート５２１と対向状をなす頂面２７と、頂面２７に隣り合う側面２８と、がそれぞれ発光する。このようにすれば、光源５１７における波長変換シート５２１と対向状をなす頂面２７と、頂面２７に隣り合う側面２８と、からそれぞれ光が発せられるので、頂面２７及び側面２８の発光量を調整することで、発光強度がピークとなる光が正面方向に対して傾いた方向へ向かうような配光分布を実現することができる。仮に光を発するＬＥＤ５１７Ａとは別途にレンズ部を用いた場合に比べると、低コスト化を図る上で好適となる。
【００５７】
＜他の実施形態＞
本発明は上記記述及び図面によって説明した実施形態に限定されるものではなく、例えば次のような実施形態も本発明の技術的範囲に含まれる。
（１）上記した各実施形態では、呈色部が、反射シート、拡散板及び波長変換シートのうちのいずれか１つに選択的に設けられる場合を示したが、呈色部が反射シート、拡散板及び波長変換シートのうちの複数にそれぞれ設けられていても構わない。
（２）上記した各実施形態では、呈色部が、シャーシ、反射シート、拡散板及び波長変換シートのうちのいずれか１つに選択的に設けられる場合を示したが、呈色部がシャーシ、反射シート、拡散板及び波長変換シートのうちの複数にそれぞれ設けられていても構わない。
（３）上記した実施形態１，５，６では、シャーシの側板部のうち、反射シートの反射側部に設けた開口部を通して光源の光が照射される部分をそのまま高光吸収率部とした場合を示したが、シャーシの側板部のうちの高光吸収率部を構成する部分の表面に黒色などの光の吸収性に優れた塗料を塗布するなどして高光吸収率部における光の吸収性を高めるようにすることも可能である。その場合、シャーシの側板部における内側の面の全域にわたって塗料を塗布することも可能である。
（４）上記した各実施形態（実施形態３，４を除く）では、反射シートを構成する４つの反射側部の全てに開口部や高光吸収率部を設けるようにした場合を示したが、４つの反射側部のうちの一部に開口部や高光吸収率部を設けるようにし、開口部や高光吸収率部が非形成とされる反射側部が存在していても構わない。
（５）上記した各実施形態での図示以外にも、呈色部や高光吸収率部の径寸法（大きさ）・配置・設置数・平面形状などは、適宜に変更可能である。呈色部や高光吸収率部における平面形状は、例えば、四角形、三角形状等の多角形状、楕円形状、不規則な形状等、本願発明の目的を損なわない限り、特に制限はない。
（６）上記した各実施形態の変形例として、呈色部や高光吸収率部が塗料からなる場合は、その濃度を配置に応じるなどして適宜に変更することも可能である。これらの設計に際しては、光源の配光分布・光源の設置数・光源の配置などに応じて行うのが好ましい。
（７）上記した各実施形態では、呈色部として塗膜からなるものを例示したが、それ以外にも、例えばＬＥＤから発せられた光と同色のセロファン等を呈色部として用いてもよい。但し、上記した各実施形態に記載された塗膜からなる呈色部は、既存の塗工装置（印刷装置等）を使用して形成することができ、しかも形成速度が速く好ましい。
（８）上記した各実施形態（実施形態１，５，６を除く）では、高光吸収率部として塗膜からなるものを例示したが、それ以外にも、黒色を呈するテープを拡散反射部として用いてもよい。また、高光吸収率部が呈する色は、黒色以外にも適宜に変更可能である。
（９）上記した各実施形態では、マゼンタ色（つまり、光源から発せられた光と同色）の呈色部を使用したが、本発明はこれに限られず、光源から発せられた光を構成する各原色光と同色の呈色部であってもよい。例えば、光源からの光がマゼンタ色光（青色光、赤色光）の場合、マゼンタ色光を構成する青色光（原色光の一例）と同色の呈色部（青色呈色部）と、赤色光（原色光の一例）と同色の呈色部（赤色呈色部）とを組み合わせたものを、マゼンタ色の呈色部に代わるものとして使用してもよい。
（１０）上記した各実施形態では、マゼンタ色光（青色光、赤色光）を出射する光源を使用したが、それ以外にも、例えば青色光を一次光として出射する光源を使用し、蛍光体として、青色光を緑色光に波長変換する緑色蛍光体と、青色光を赤色光に波長変換する赤色蛍光体とを含む波長変換シートを使用してもよい。この場合、波長変換シートからは、前記蛍光体で波長変換された二次光として、緑色光と赤色光が出射される。呈色部は、光源と同色の青色を呈するようにすればよい。また、緑色蛍光体として、例えば、ＳｒＧａ２Ｓ４：Ｅｕ２＋を使用し、赤色蛍光体として、例えば、（Ｃａ，Ｓｒ，Ｂａ）Ｓ：Ｅｕ２＋を使用してもよい。
（１１）また、他の場合としては、青色光を一次光として出射する光源を使用し、蛍光体として、青色光を黄色光に波長変換する黄色蛍光体を含む波長変換シートを使用してもよい。この場合、波長変換シートからは、前記蛍光体で波長変換された二次光として、黄色光が出射される。呈色部は、光源と同色の青色を呈するようにすればよい。
（１２）また、他の場合としては、紫色の光を出射する光源を使用し、蛍光体として、黄色蛍光体及び緑色蛍光体を含む波長変換シートを使用してもよい。この場合、呈色部は、紫色を呈するようにすればよい。
（１３）また、他の場合としては、シアン色の光を出射する光源を使用し、蛍光体として、赤色蛍光体を含む波長変換シートを使用してもよい。この場合、呈色部は、シアン色を呈するようにすればよい。
（１４）上記した各実施形態では、波長変換シートの蛍光体として、硫黄化物蛍光体を使用したが、本発明はこれに限られず、例えば、量子ドット蛍光体(Quantum Dot Phosphor)を用いてもよい。量子ドット蛍光体は、ナノサイズ（例えば、直径２ｎｍ〜１０ｎｍ程度）の半導体結晶中に電子・正孔や励起子を三次元空間方位で閉じ込めることで、離散的エネルギー準位を有しており、そのドットのサイズを変えることで発光光のピーク波長（発光色）等を適宜選択することができる。なお、量子ドット蛍光体は、空気中の酸素や水分と反応して劣化し易く、また環境負荷物質であるカドミウム等を使用するため、波長変換シートの蛍光体としては、上述した硫化物蛍光体が好ましい。硫化物蛍光体は、二酸化ケイ素膜で被覆されており、また、波長変換シート中にガス吸収材を添加することで、高温高湿環境下においても、信頼性が高いと言える。
（１５）上記した各実施形態では、波長変換シートの裏側に光学部材である拡散板が積層配置される場合を示したが、拡散板以外の光学部材を波長変換シートの裏側に積層配置することができ、場合によってはその光学部材に呈色部や高光吸収率部を設けることも可能である。
（１６）上記した各実施形態では、シャーシが金属製とされた場合を例示したが、シャーシを合成樹脂製とすることも可能である。
（１７）上記した各実施形態では、光源の発光部や光源としてＬＥＤを用いたものを示したが、有機ＥＬなどを用いることも可能である。また、光源の設置数・配置などは適宜に変更可能である。また、光源基板の設置数なども適宜に変更可能である。
（１８）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
（１９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
（２０）上記した各実施形態では、透過型の液晶表示装置を例示したが、それ以外にも反射型の液晶表示装置や半透過型の液晶表示装置にも本発明は適用可能である。
（２１）上記した各実施形態では、表示パネルとして液晶パネルを用いた液晶表示装置を例示したが、他の種類の表示パネルを用いた表示装置にも本発明は適用可能である。
（２２）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【００５８】
１０…液晶表示装置（表示装置）、１０ＴＶ…テレビ受信装置、１１…液晶パネル（表示パネル）、１２…バックライト装置（照明装置）、１４，４１４…シャーシ、１４Ａ，４１４Ａ…底板部（底部）、１４Ｃ，４１４Ｃ…側板部（側部）、１７，１１７，２１７，５１７…光源、１７Ａ，５１７Ａ…ＬＥＤ（発光部）、１７Ａ１…発光面、１７Ｂ…レンズ部、１９，１１９，４１９…反射シート、１９Ａ，４１９Ａ…反射底部、１９Ｂ，１１９Ｂ，４１９Ｂ…反射側部、２０，２２０，３２０…拡散板（光学部材）、２１，２２１，３２１，５２１…波長変換シート、２４，１２４，２２４，３２４，４２４…呈色部、２５，１２５，２２５，３２５，４２５…高光吸収率部、２６，４２６…開口部、２７…頂面、２８…側面、ＬＡ…光源配置領域、ＬＮＡ…光源非配置領域
【図１】
2019139905.tif 000003
【図２】
2019139905.tif 000004
【図３】
2019139905.tif 000005
【図４】
2019139905.tif 000006
【図５】
2019139905.tif 000007
【図６】
2019139905.tif 000008
【図７】
2019139905.tif 000009
【図８】
2019139905.tif 000010
【図９】
2019139905.tif 000011
【図１０】
2019139905.tif 000012